(57)【要約】【課題】  ＰＣＩスロットの電圧を拡張ボードの消費電圧と想定する方法で、ユニバーサルＰＣＩ拡張ボードは３．３Ｖと５Ｖのスロットのどちらにでも挿入することが可能なため、装置の正確な消費電力の管理ができなかった。【解決手段】  ＰＣＩ拡張ボード内に、５Ｖ、３．３Ｖのどちらのスロットに挿入されているか判定する回路と、５Ｖ電源、３．３Ｖ電源の内、前記回路の判定結果に対応する電源を選択するスイッチ回路と、選択された入力電源を３．３Ｖに変換するレギュレータとを備え、ＰＣＩ拡張ボードは、５Ｖスロットに挿入された場合は５Ｖ電源を使用し、３．３Ｖスロットに挿入された場合は３．３Ｖ電源を使用するようにする。【選択図】      図１
2006277214.tif 000002
【特許請求の範囲】
【請求項１】
ＰＣＩ拡張ボード内に、５Ｖ、３．３Ｖのどちらのスロットに挿入されているか判定する回路と、５Ｖ電源、３．３Ｖ電源の内、前記回路の判定結果に対応する電源を選択するスイッチ回路と、選択された入力電源を３．３Ｖに変換するレギュレータとを備え、ＰＣＩ拡張ボードは、５Ｖスロットに挿入された場合は５Ｖ電源を使用し、３．３Ｖスロットに挿入された場合は３．３Ｖ電源を使用するようにしたことを特徴とするＰＣＩの電源管理方式。
【発明の詳細な説明】
【技術分野】
【０００１】
本発明は、ＰＣＩの電源管理方式に関する。
【背景技術】
【０００２】
ＰＣＩバスには、拡張ボードの消費電力の値を認識するためのＰＲＳＮＴ信号が存在するが、その消費電力の値に対応する電圧を、区別する方法が無かった。
【０００３】
そのため、３．３ＶのＰＣＩスロットでは３．３Ｖが、５ＶのＰＣＩスロットでは５Ｖが、消費されると想定することで、装置の消費電力を管理する方法があった。
【０００４】
電力管理に関する発明としては、特許文献１がある。
【０００５】
これは、消費電力情報を格納するためのメモリを、各ＰＣＩ拡張ボードに設け、ここから消費電力情報を読み取り、消費電力を計算する方法である。
【０００６】
【特許文献１】特開２００３−１２２４５９号公報
【発明の開示】
【発明が解決しようとする課題】
【０００７】
上記、ＰＣＩスロットの電圧を拡張ボードの消費電圧と想定する方法では、ユニバーサルＰＣＩ拡張ボードは３．３Ｖと５Ｖのスロットのどちらにでも挿入することが可能なため、装置の正確な消費電力の管理ができなかった。
【０００８】
上記特許文献１の発明は、本発明とは実現方法が異なる上、ＰＣＩの規格に準拠していない。
【０００９】
スロットに電源を供給しなければ、情報を取得できず、消費電力が電源の容量を超えている場合、誤動作する可能性がある。
【００１０】
また、本発明の第二の効果が得られない。
【課題を解決するための手段】
【００１１】
本発明のＰＣＩの電源管理方式は、ＰＣＩ拡張ボード内に、５Ｖ、３．３Ｖのどちらのスロットに挿入されているか判定する回路と、５Ｖ電源、３．３Ｖ電源の内、前記回路の判定結果に対応する電源を選択するスイッチ回路と、選択された入力電源を３．３Ｖに変換するレギュレータとを備え、ＰＣＩ拡張ボードは、５Ｖスロットに挿入された場合は５Ｖ電源を使用し、３．３Ｖスロットに挿入された場合は３．３Ｖ電源を使用するようする。
【発明の効果】
【００１２】
本発明によれば、以下に記載するような効果を奏する。
第１の効果は、３．３Ｖ、５Ｖそれぞれの消費電力を管理できるので、電力消費に対する、電源の能力不足を検知し、通知することで、信頼性を向上させることができる。
【００１３】
第２の効果は、５Ｖの消費電力が、電源の供給能力を超えるような場合、本発明のＰＩＣ拡張ボードを３．３Ｖスロットに移動させ、５Ｖの消費電力を減少させること、または、その逆により、電源を無駄無く活用できる。
【発明を実施するための最良の形態】
【００１４】
次に、本発明を実施するための最良の形態について図面を参照して詳細に説明する。
【００１５】
図１を参照すると、本発明の一実施例としてのＰＣＩ拡張ボード（ＥＸＰ−ＢＯＡＲＤ１、ＥＸＰ−ＢＯＡＲＤ２）が示されている。
【００１６】
ＰＣＩのＰＲＳＮＴ信号（ＰＣＩ−ＰＲＳＮＴ＃１、＃２）は各スロットに、それぞれ２本割り付けられ、ＰＣＩ拡張ボード内で未接続の場合、プルアップ抵抗に（ＰＵＬＬＵＰ＃１、＃２）により、ハイに保たれ、ＧＮＤに接続されている場合ローになる。
【００１７】
ＰＣＩバスのホスト（ＭＯＴＨＥＲ３）は、ＰＲＳＮＴ信号の値を認識し、ボードの実装の有無、および、消費電力の値を認識し、電源管理回路（ＰＯＷ−ＣＯＮＦＩＧ３１）で、装置の電源を管理する。
【００１８】
ＰＣＩ-５Ｖ、ＰＣＩ-３．３Ｖはそれぞれ、ＰＣＩの５Ｖ、３．３Ｖ電源である。
【００１９】
ＰＣＩ-ＶＩＯ（５Ｖ）、ＰＣＩ-ＶＩＯ（３．３Ｖ）は、それぞれ５Ｖ、３．３ＶスロットのＶＩＯ電源である。
【００２０】
図では、２枚のＰＣＩ拡張ボード、ＥＸＰ−ＢＯＡＲＤ１、ＥＸＰ−ＢＯＡＲＤ２が、それぞれ５Ｖ、３．３Ｖスロットに装着されている。
【００２１】
ＲＥＶ１１、２１は、ＶＩＯの電圧を監視し、５Ｖ、３．３Ｖのどちらのスロットに挿入されているか判定する回路。
【００２２】
ＳＥＬ１２、２２は、ＲＥＶ１１、２１の結果により、５Ｖ、３．３Ｖを選択して出力するスイッチ回路、ＲＥＧＵ１３、２３は、入力電圧を３．３Ｖに変換するレギュレーター、ＣＩＲＣ１４、２４は、拡張ボードの論理回路部分である。
【００２３】
次に、本発明を実施するための最良の形態の動作について図面を参照して説明する。
【００２４】
図１の回路の動作を説明する。
【００２５】
ＥＸＰ−ＢＯＡＲＤ１は、５Ｖスロットに装着されているため、ＶＩＯは５Ｖである。
【００２６】
ＲＥＶ１１はスレッシュホールドを、３．３Ｖから５Ｖの間に設定されたデバイスであり、ＶＩＯの電圧がスレッシュホールドを超えると、出力をアクティブにする。
【００２７】
ＳＥＬ１２は、ＲＥＶ１１の出力がアクティブになると、ＰＣＩから供給される電源の内、５ＶをＲＥＧＵ１３に接続させる。
【００２８】
ＲＥＧＵ１３は、入力が５Ｖ、３．３Ｖに関わらず、３．３Ｖに変換してＣＩＲＣ１４に供給する。
【００２９】
ＥＸＰ−ＢＯＡＲＤ２は、３．３Ｖスロットに装着されており、ＲＥＧＵ２３はＳＥＬ２２により、３．３Ｖに接続され、ＣＩＲＣ２４には、３．３Ｖが供給される。
【００３０】
以上により、ＰＣＩ拡張ボードは、５Ｖスロットに挿入された場合は５Ｖを使用、３．３Ｖスロットの場合は３．３Ｖを使用することになる。
【００３１】
次に、本発明の他の実施例について図面を参照して説明する。
【００３２】
図２を参照すると、本発明の一実施例としてのＰＣＩ拡張ボード（ＥＸＰ−ＢＯＡＲＤ１、ＥＸＰ−ＢＯＡＲＤ２）が示されている。
【００３３】
ＰＣＩのＰＲＳＮＴ信号（ＰＣＩ−ＰＲＳＮＴ＃１、＃２）は各スロットに、それぞれ２本割り付けられ、ＰＣＩ拡張ボード内で未接続の場合、プルアップ抵抗に（ＰＵＬＬＵＰ＃１、＃２）により、ハイに保たれ、ＧＮＤに接続されている場合ローになる。
【００３４】
ＰＣＩバスのホスト（ＭＯＴＨＥＲ３）は、ＰＲＳＮＴ信号の値により、ボードの実装の有無、および、消費電力の値を認識し、電源管理回路（ＰＯＷ−ＣＯＮＦＩＧ３１）で、装置の電源を管理する。
【００３５】
ＰＣＩ-５Ｖ、ＰＣＩ-３．３Ｖはそれぞれ、ＰＣＩの５Ｖ、３．３Ｖ電源である。
【００３６】
ＰＣＩ-ＶＩＯ（５Ｖ）、ＰＣＩ-ＶＩＯ（３．３Ｖ）は、それぞれ５Ｖ、３．３ＶスロットのＶＩＯ電源である。
【００３７】
図では、２枚のＰＣＩ拡張ボード、ＥＸＰ−ＢＯＡＲＤ１、ＥＸＰ−ＢＯＡＲＤ２が、それぞれ５Ｖ、３．３Ｖスロットに装着されている。
【００３８】
ＳＥＬ１２、２２は、５Ｖ、３．３Ｖを選択して出力するスイッチ、ＲＥＧＵ１３、２３は、入力電圧を３．３Ｖに変換するレギュレーター、ＣＩＲＣ１４、２４は、拡張ボードの論理回路である。
【００３９】
ＥＸＰ−ＢＯＡＲＤ１は、５Ｖスロットに装着されている。
【００４０】
ＳＥＬ１２を切り替えることで、ＰＣＩから供給される電源の内、５ＶをＲＥＧＵ１３に接続させる。
【００４１】
ＲＥＧＵ１３は、入力が５Ｖ、３．３Ｖに関わらず、３．３Ｖに変換してＣＩＲＣ１４に供給する。
【００４２】
ＥＸＰ−ＢＯＡＲＤ２は、３．３Ｖスロットに装着されている。
【００４３】
ＲＥＧＵ２３はＳＥＬ２２を切り替えることで３．３Ｖに接続され、ＣＩＲＣ２４には、３．３Ｖが供給される。
【００４４】
以上により、ＰＣＩ拡張ボードは、５Ｖスロットに挿入された場合は５Ｖを使用、３．３Ｖスロットの場合は３．３Ｖを使用することになる。
【図面の簡単な説明】
【００４５】
【図１】本発明の実施例の構成を示す図。
【図２】本発明の他の実施例の構成を示す図。
【符号の説明】
【００４６】
１    ＥＸＰ−ＢＯＡＲＤ
１１    ＲＥＶ
１２    ＳＥＬ
１３    ＲＥＧＵ
１４    ＣＩＲＣ
２    ＥＸＰ−ＢＯＡＲＤ
２２    ＳＥＬ
２３    ＲＥＧＵ
２４    ＣＩＲＣ
３    ＭＯＴＨＥＲ
３１    ＰＯＷ−ＣＯＮＦＩＧ
【図１】
2006277214.tif 000003
【図２】
2006277214.tif 000004